(57)【特許請求の範囲】
【請求項１】
被写体を表すスルー画像データおよび本撮像画像データを取得する撮像手段と、
該撮像手段により取得されたスルー画像データを解析して、前記被写体を表す複数のシーンを認識するシーン認識手段と、
該シーン認識手段により認識された複数のシーンに対応する前記撮像手段の撮像条件を設定する複数の撮像モードを選択する撮像モード選択手段と、
前記撮像手段により取得された本撮像画像データとともに、該本撮像画像データを取得する際に前記撮像モード選択手段により選択された前記複数の撮像モードを該本撮像画像データに対応付けて記録する記録手段と、
前記記録された本撮像画像データを再生するための撮像モードを指定する撮像モード指定手段と、
該撮像モード指定手段により指定された撮像モードが対応付けて記録されている全ての前記本撮像画像データを前記記録手段から検索し、該検索された本撮像画像データを再生するよう制御する再生制御手段とを有するものであることを特徴とする撮像装置。
【請求項２】
前記再生制御手段が、更に前記取得されたスルー画像データを表示し、前記選択された複数の撮像モードに対応するアイコンを前記スルー画像データ上に畳み重ねるように表示するよう制御するものであることを特徴とする請求項１記載の撮像装置。
【請求項３】
前記再生制御手段は、前記全ての本撮像画像データを撮像された順またはユーザにより指定された順に再生するよう制御するものであることを特徴とする請求項１または２記載の撮像装置。
【請求項４】
前記撮像モード選択手段が、前記シーン認識手段により解析されたシーン毎に算出されるシーンの確信度の高い順に、対応する複数の撮像モードを選択するものであることを特徴とする請求項１から３のいずれか１項に記載の撮像装置。
【請求項５】
前記撮像モード選択手段が、予め定められた所定数以内の前記撮像モードを選択するものであることを特徴とする請求項４記載の撮像装置。
【請求項６】
前記撮像モード選択手段が、前記シーン認識手段により解析されたシーン毎に算出されるシーンの確信度が、所定の値以上であるシーンのみに対応する複数の撮像モードを選択するものであることを特徴とする請求項１から３のいずれか１項記載の撮像装置。
【請求項７】
前記撮像手段が、前記撮像モードが複数選択された際に、選択された撮像モード毎に複数の本撮像画像データを取得するものであることを特徴とする請求項１記載の撮像装置。
【請求項８】
被写体を表すスルー画像データおよび本撮像画像データを取得し、
該取得されたスルー画像データを解析して、前記被写体を表す複数のシーンを認識し、
該認識された複数のシーンに対応する撮像条件を設定する複数の撮像モードを選択し、
前記撮像手段により取得された本撮像画像データとともに、該本撮像画像データを取得する際に選択された前記複数の撮像モードを該本撮像画像データに対応付けて記録し、
前記記録された本撮像画像データを再生するための撮像モードを指定し、
該指定された撮像モードが対応付けて記録されている全ての本撮像画像データを検索して、該全ての本撮像画像データを再生することを特徴とする撮像方法。
【請求項９】
被写体を表すスルー画像データおよび本撮像画像データを取得する機能と、
該取得されたスルー画像データを解析して、前記被写体を表す複数のシーンを認識する機能と、
該認識された複数のシーンに対応する撮像条件を設定する複数の撮像モードを選択する機能と、
取得された前記本撮像画像データとともに、該本撮像画像データを取得する際に選択された前記複数の撮像モードを該本撮像画像データに対応付けて記録する機能と、
記録された該本撮像画像データを再生するための撮像モードを指定する機能と、
前記指定された撮像モードが対応付けて記録されている全ての本撮像画像データを検索し、該検索された本撮像画像データを再生する機能とをコンピュータに実行させるためのプログラム。
【請求項１０】
被写体を表すスルー画像データおよび本撮像画像データを取得する撮像手段と、
該撮像手段により取得されたスルー画像データを解析して、前記被写体を表す複数のシーンを認識するシーン認識手段と、
該シーン認識手段により認識された複数のシーンに基づいて前記被写体の複数の色味候補を選択する色味候補選択手段と、
前記撮像手段により取得された本撮像画像データとともに、該本撮像画像データを取得する際に前記色味候補選択手段により選択された前記複数の色味候補を該本撮像画像データに対応付けて記録する記録手段と、
前記記録された本撮像画像データを再生するための所定の色味候補を指定する色味候補指定手段と、
該色味候補指定手段により指定された所定の色味候補が対応付けて記録されている全ての前記本撮像画像データを前記記録手段から検索し、該検索された本撮像画像データを再生するよう制御する再生制御手段とを有するものであることを特徴とする撮像装置。
【請求項１１】
前記再生制御手段は、前記全ての本撮像画像データを撮像された順またはユーザにより指定された順により再生するよう制御するものであることを特徴とする請求項１０記載の撮像装置。
【請求項１２】
前記色味候補選択手段が、前記選択された色味候補毎に算出される色味の確信度の高い順に複数の色味候補を選択するものであることを特徴とする請求項１０または１１記載の撮像装置。
【請求項１３】
前記色味候補選択手段が、予め定められた所定数以内の前記色味候補を選択するものであることを特徴とする請求項１２記載の撮像装置。
【請求項１４】
前記色味候補選択手段が、前記色味候補毎に算出される色味の確信度が、所定の値以上である複数の色味候補を選択するものであることを特徴とする請求項１０から１３のいずれか１項記載の撮像装置。
【請求項１５】
被写体を表すスルー画像データおよび本撮像画像データを取得し、
該取得されたスルー画像データを解析して、前記被写体を表す複数のシーンを認識し、
該認識された複数のシーンに基づいて前記被写体の複数の色味候補を選択し、
取得された前記本撮像画像データとともに、該本撮像画像データを取得する際に選択された前記複数の色味候補を該本撮像画像データに対応付けて記録し、
本撮像画像データを再生するための所定の色味候補を指定し、
前記指定された所定の色味候補が対応付けて記録されている全ての本撮像画像データを検索し、該検索された本撮像画像データを再生することを特徴とする撮像方法。
【請求項１６】
被写体を表すスルー画像データおよび本撮像画像データを取得する撮像機能と、
該取得されたスルー画像データを解析して、前記被写体を表す複数のシーンを認識するシーン認識機能と、
該認識された複数のシーンに基づいて前記被写体の複数の色味候補を選択する色味候補選択機能と、
取得された前記本撮像画像データとともに、該本撮像画像データを取得する際に選択された前記複数の色味候補を該本撮像画像データに対応付けて記録する記録機能と、
本撮像画像データを再生するための所定の色味候補を指定する色味候補指定機能と、
前記指定された所定の色味候補が対応付けて記録されている全ての本撮像画像データを検索し、該検索された本撮像画像データを再生する機能とをコンピュータに実行させるためのプログラム。
【発明の詳細な説明】
【技術分野】
【０００１】
本発明はシーン認識機能を備えた撮像装置、特に認識されたシーンに対応する撮像モードによって撮像された画像を再生可能とする撮像装置および方法並びにプログラムに関するものである。
【背景技術】
【０００２】
近年、シーンを検出して解析する技術を利用して、デジタルカメラのプレビュー表示に、シーン結果に応じて推奨する撮影モードを表示するカメラ等が提案されている（特許文献１参照）。特許文献１に開示されたカメラにおいては、スルー画像データを解析してシーン判別を行い、そのシーン判別結果に基づいて推奨する一つ以上の撮影モードをプレビュー表示上に表示し、ユーザがその表示された撮影モード中から選択した撮影モードによって撮影することを可能とするものである。また、特許文献２に開示されたカメラにおいては、撮影時に、撮影画像とモードダイヤルで選択されている撮影モードを示す撮影モード情報とを関連付けてメモリーカードに記録し、撮影画像の再生時には、モードダイヤルで選択されている撮影モードに対応する画像データをメモリーカードから検索して表示部に表示することを可能とするものである。また、特許文献３に開示されたカメラにおいては、撮影時に、撮影画像と撮像時の撮影条件（例えば、ホワイトバランス、入射光量等）を記録し、撮影画像の再生時には、特定の検索設問に対応する撮影条件で撮像された撮影画像を出画することを可能とするものである。
【特許文献１】特開２００７−１８４７３３号公報
【特許文献２】特開２００４−１２０２２５号公報
【特許文献３】特開平４−１１５７８８号公報
【発明の開示】
【発明が解決しようとする課題】
【０００３】
しかしながら、特許文献１に記載された技術では、ユーザが、撮像時に撮影モードを選択する負荷は軽減するが、再生時には、シーンに応じて画像を分類し、表示をすることが困難である。また、再生の際、シーンに応じて画像を分類するためには、画像毎に区分コードを設定しなければならないため、操作が煩雑になるという問題がある。
【０００４】
また、特許文献２に記載された技術では、ユーザがモードダイヤルを選択しないと、再生時にモードダイヤルに対応する撮影モード毎に再生することができない、またユーザは撮影時に適切なモードダイヤルを選択することに迷う場合がある、更には、再生時に単一のモードダイヤルに対応した撮影モードでしか検索できないという問題がある。
【０００５】
また、特許文献３に記載された技術では、再生時に特定の検索設問を用意する必要性が生じ、かつユーザの操作が煩雑になるという問題がある。
【０００６】
本発明は上記事情に鑑みなされたものであり、簡単な操作で、かつ特定の検索設問を用意することなく、適切に画像データを分類毎に再生可能とする撮像装置および方法、並びにプログラムを提供することを目的とするものである。
【課題を解決するための手段】
【０００７】
本発明による撮像装置は、被写体を表すスルー画像データおよび本撮像画像データを取得する撮像手段と、撮像手段により取得されたスルー画像データを解析して、被写体を表す１つ以上のシーンを認識するシーン認識手段と、シーン認識手段により認識された１つ以上のシーンに対応する撮像手段の撮像条件を設定する１つ以上の撮像モードを選択する撮像モード選択手段と、該撮像モード選択手段により選択された撮像モードにより取得された本撮像画像データとともに、本撮像画像データ毎に選択された１つ以上の撮像モードを記録する記録手段と、前記記録された本撮像画像データを再生するための撮像モードを指定する撮像モード指定手段とを備え、撮像モード指定手段により指定された撮像モードにより取得された全ての本撮像画像データを記録手段から検索し、検索された本撮像画像データを再生可能とする再生制御手段とを有するものであることを特徴とするものである。すなわち、認識されたシーンに対応する撮像モードにより撮像された画像データと上記撮像モードを対応させて記録し、再生時には撮像時に選択された撮像モードを利用して簡単な操作で画像データを分類毎に再生可能とするものである。
【０００８】
ここで、「シーン」とは、被写体の種類を表すもので、例えば被写体の中の一部を表すものである。例えば、画像中の人物、風景、空、建物、ペット等、その被写体が何に関するものであるかを示すものである。
【０００９】
「スルー画像データ」とは、本撮像画像データを取得する指示がなされる前に、撮像手段により連続して撮像されている画像である。具体的には、デジタルカメラにおいてレリーズボタンを押下する前には、デジタルカメラのモニタに動画像のように画像が表示されるが、その動画像を構成する１つ以上のフレームがスルー画像データに対応するものである。ここでいうスルー画像データとは、レリーズボタンが半押しされることによって発生する半押し信号を検出したＣＰＵが撮像手段に事前撮像を実行させた結果、フレームメモリに格納された画像データをも含むものである。
【００１０】
「再生制御手段」とは、撮像されたスルー画像データまたは本撮像画像データを再生表示するように制御するものである。撮像モード指定手段により指定された所定の撮像モードにより取得された全ての本撮像画像データを記録手段から検索し、この検索された本撮像画像データの全てを再生するように制御してもよい。更に、全ての本撮像画像データを撮像された順またはユーザにより指定された順に再生するよう制御するものであってもよい。また、撮影モード選択手段により選択された１つ以上の撮像モードに対応するアイコンをスルー画像データ上に畳み重ねるように表示するよう制御するものであってもよい。
【００１１】
「撮像モード選択手段」とは、本撮像前に撮像手段の撮像条件を設定する１つ以上の撮像モードを選択するものをいう。例えば、撮像モード選択手段が、１つ以上の撮像モードを自動的に設定するものであってもよいし、また１つ以上の撮像モードからユーザからの選択指示を受け付け、選択するものであってもよい。また、シーン認識手段により解析されたシーン毎に算出されるシーンの確信度の高い順に、対応する１つ以上の撮像モードを選択するものであってもよいし、更に予め定められた所定数以内の撮像モードを選択するよう制御するものであってもよい。また、シーン認識手段により解析されたシーン毎に算出されるシーンの確信度が、所定の値以上である１つ以上のシーンのみに対応する１つ以上の撮像モードを選択するものであってもよい。
【００１２】
「撮像モード指定手段」とは、記録された本撮像画像データを再生するための所定の撮像モードを指定する手段をいう。
【００１３】
本発明の撮像装置において、撮像モード選択手段により選択された１つ以上の撮像モードに基づいて設定される画像処理条件により、本撮像画像データを画像処理する画像処理手段を更に備え、画像処理手段が、選択された１つ以上の撮像モードの構成比率を算出し、構成比率により画像処理条件を制御するものとする際、ユーザによりシーンの構成比率を設定するための指示を受けつけることを可能とするものであってもよい。
【００１４】
本発明の撮像装置は、被写体を表すスルー画像データおよび本撮像画像データを取得する撮像手段と、撮像手段により取得されたスルー画像データを解析して、被写体を表す１つ以上のシーンを認識するシーン認識手段と、シーン認識手段により認識された１つ以上のシーンに基づいて前記被写体の１つ以上の色味候補を選択する色味候補選択手段と、色味候補選択手段により選択された色味候補とともに  本撮像画像データを記録する記録手段と、記録された本撮像画像データを再生するための所定の色味候補を指定する色味候補指定手段とを備え、色味候補指定手段により指定された所定の色味候補に対応する全ての本撮像画像データを記録手段から検索し、検索された本撮像画像データを再生可能とする再生制御手段とを有するものであってもよい。また、選択された色味候補の画像全体における構成比率を算出するものであってもよい。
【００１５】
ここで、「色味」とは、画像を表す色成分の一部である。例えば、画像中の青、赤、黄、黒、白、紫、水、緑、橙色からなる色成分等である。
【００１６】
「色味候補選択手段」とは、本撮像前に認識されたシーンに対応する１つ以上の色味候補を選択するものをいう。例えば、選択された色味候補毎に算出される色味の確信度の高い順に１つ以上の色味候補を選択するものであってもよく、更に予め定められた所定数以内の色味候補を選択するものであってもよい。また、色味候補毎に算出される色味の確信度が、所定の値以上である１つ以上の色味候補を選択するよう制御するものであってもよい。
【００１７】
本発明の撮像方法は、被写体を表すスルー画像データおよび本撮像画像データを取得し、取得されたスルー画像データを解析して、被写体を表す１つ以上のシーンを認識し、認識された１つ以上のシーンに対応する撮像条件を設定する１つ以上の撮像モードを選択し、選択された撮像モードにより取得された本撮像画像データとともに本撮像画像データ毎に選択された撮像モードを記録し、記録された本撮像画像データを再生するための撮像モードを指定し、指定された撮像モードにより取得された全ての本撮像画像データを検索して、検索された本撮像画像データを再生することを特徴とする。
【００１８】
本発明の撮像方法は、被写体を表すスルー画像データおよび本撮像画像データを取得し、取得されたスルー画像データを解析して、前記被写体を表す１つ以上のシーンを認識し、認識された１つ以上のシーンに基づいて前記被写体の１つ以上の色味候補を選択し、選択された色味候補とともに本撮像画像データを記録し、本撮像画像データを再生するための所定の色味候補を指定し、指定された所定の色味候補に対応する全ての本撮像画像データを検索し、検索された本撮像画像データを再生することを特徴とするものであってもよい。
【００１９】
なお、本発明の撮像方法をコンピュータに実行させるためのプログラムを提供してもよい。
【００２０】
ここで、本発明の撮像装置は、単一の装置のみならず、例えば、撮像装置（例えば、デジタルカメラ等）および表示装置（例えば、テレビ等）を有線または無線により接続した場合のように、複数の装置を接続することにより一体に構成される装置をも含むものである。
【発明の効果】
【００２１】
本発明の撮像装置および方法並びにプログラムによれば、１つ以上のシーンを認識された結果により撮像モードを選択し、選択された撮像モードにより本撮像画像データを取得し、本撮像画像データを再生するために指定された所定の撮像モードにより取得された全ての本撮像画像データを再生可能とするものであるから、簡単な操作で本撮像画像データを所定のシーン分類毎に再生することができることができる。
【００２２】
また、本発明の撮像装置および方法並びにプログラムによれば、１つ以上のシーンを認識された結果により色味候補を選択し、選択された色味候補により本撮像画像データを取得し、本撮像画像データを再生するために指定された所定の色味候補により取得された全ての本撮像画像データを再生可能とするものであるから、簡単な操作で本撮像画像データを所定の色味分類毎に再生することができることができる。
【発明を実施するための最良の形態】
【００２３】
以下、本発明の第一の撮像装置の実施形態を、図面を参照して詳細に説明する。
【００２４】
図１及び図２は、デジタルカメラの一例を示すものであり、それぞれ背面側及び前面側から見た外観図である。デジタルカメラ１の本体２の背面には、図１に示す如く、撮像者による操作のためのインターフェースとして、動作モードダイヤル１１、メニュー／ＯＫボタン１７、ズームボタン１８、十字ボタン１６、表示／戻るボタン２０、フォトモードボタン２２が設けられ、更に撮像のためのファインダ１５、撮像並びに再生のためのモニタ１４及びレリーズボタン７が設けられている。
【００２５】
動作モードダイヤル１１は、撮像モード（風景、夜景、海、雪、山、花、夕焼け、パーティおよび人物、ベビー、スポーツ、ペット等）、自動シーン認識モード、自動シーン認識連写モード、等の各撮像モードを切り替えるためのスライドスイッチである。
【００２６】
メニュー／ＯＫボタン１７は、押下される毎に撮像モード／色味候補の選択、セルフタイマーＯＮ／ＯＦＦ、記録画素数や撮像素子感度等の設定を行うための各種メニューをモニタ１４に表示させたり、モニタ１４に表示されたメニューに基づく選択・設定を決定したりするためのボタンである。
【００２７】
ズームボタン１８は、左右いずれかのボタンを押すことによって、撮像時には望遠／広角の調整が行われる。
【００２８】
十字ボタン１６は、各種設定時にモニタ１４に表示されるメニュー画面中のカーソルを上下左右に移動して表示させるためのボタンである。
【００２９】
Ｂａｃｋ（戻る）ボタン２０は、押下されることによって各種設定操作を中止し、モニタ１４に１つ前の画面を表示するためのボタンである。また、再生時には、モニタ１４の表示方法を変更することが可能となる。
【００３０】
ファインダ１５は、ユーザが被写体を撮像する際に構図やピントを合わせるために覗くためのものである。ファインダ１５から見える被写体像は、本体２の前面にあるファインダ窓を介して映し出される。
【００３１】
レリーズボタン７は、半押し及び全押しの二段階操作が可能な操作ボタンであり、レリーズボタン７を押下すると、後述の操作系制御部７４を介して半押し信号又は全押し信号をＣＰＵ７５へ出力する。
【００３２】
以上説明した各ボタンやレバー等の操作によって設定された内容は、モニタ１４中の表示や、ファインダ１５内のランプ等によって確認可能となっている。また、モニタ１４には、撮像の際に被写体確認用のスルー画像データが表示される。これにより、モニタ１４は電子ビューファインダとして機能する他、撮像後の静止画や動画の再生表示、各種設定メニューの表示を行う。
【００３３】
ユーザによってレリーズボタン７が半押し操作されると、後述するシーン認識処理や、自動露出処理（以下、ＡＥ処理という）、自動焦点処理（以下、ＡＦ処理という）等の自動設定が行われ、レリーズボタン７が全押し操作されると、シーン認識結果により選択される撮像モード／色味候補によって定められる撮像条件（ＡＥ処理やＡＦ処理等）に基づいて撮像が行われ、モニタ１４に表示された画像が本撮像画像データとして記録される。
【００３４】
更に、本体２の前面には、図２に示す如く、撮像レンズ３、ズームリング４、電源レバー８、フラッシュライト１３及びＡＦ補助光ランプ／セルフタイマーランプ５が設けられ、側面にはメディアスロット２２が設けられている。
【００３５】
撮像レンズ３は、被写体像を所定の結像面上（本体２内部にあるＣＣＤ又はＣＭＯＳ等）に結像させるためのものであり、フォーカスレンズやズームレンズ等によって構成される。
【００３６】
電源レバー８は、デジタルカメラ１の電源のオン／オフを切り替えるためのレバーであり、同時に静止画撮像モード、動画撮像モード、再生モード、の各動作モードを切り替えるためのレバーである。
【００３７】
フラッシュライト１３は、レリーズボタン７が押下され、本体２の内部にあるシャッタが開いている間に、撮像に必要な光を被写体に対して瞬間的に発光するためのものである。フラッシュライト１３はキセノン管により構成されているが、キセノン管以外のフラッシュライトであってもよい。
【００３８】
ＡＦ補助光ランプ／セルフタイマーランプ５は、セルフタイマーによって撮像する際に、シャッタの開閉タイミングすなわち露光の開始及び終了を被写体に知らせるためのものであり、またＡＦ用に発光する補助ランプも兼ねている。
【００３９】
メディアスロット２２は、メモリカード等の外部記録メディア７０が充填されるための充填口であり、外部記録メディアが充填されると、データの読み取り／書き込みが行われる。
【００４０】
図３にデジタルカメラ１の機能構成を示すブロック図を示す。図３に示す如く、デジタルカメラ１の操作系として、前述の動作モードダイヤル１１、メニュー／ＯＫボタン１７、ズームボタン１８、十字ボタン１６、表示／戻るボタン２０、レリーズボタン７、電源レバー８と、フォトモードボタン２２、これらのスイッチ、ボタン、レバー類の操作内容をＣＰＵ７５に伝えるためのインターフェースである操作系制御部７４が設けられている。
【００４１】
また、撮像レンズ３を構成するものとして、フォーカスレンズ３ａ及びズームレンズ３ｂが設けられている。これらの各レンズは、モータとモータドライバからなるフォーカスレンズ駆動部５１、ズームレンズ駆動部５２によってステップ駆動され、光軸方向に移動可能な構成となっている。
【００４２】
フォーカスレンズ駆動部５１は、ＡＦ処理部６２から出力されるフォーカス駆動量データに基づいてフォーカスレンズ３ａをステップ駆動する。ズームレンズ駆動部５２は、ズームボタン１８の操作量データに基づいてズームレンズ３ｂのステップ駆動を制御する。
【００４３】
絞り５４は、モータとモータドライバとからなる絞り駆動部５５によって駆動される。この絞り駆動部５５は、ＡＥ処理部６３から出力される絞り値データに基づいて絞り５４の絞り径の調整を行う。
【００４４】
シャッタ５６は、メカニカルシャッタであり、モータとモータドライバとからなるシャッタ駆動部５７によって駆動される。シャッタ駆動部５７は、レリーズボタン７の押下信号と、ＡＥ処理部６３から出力されるシャッタ速度データとに応じてシャッタ５６の開閉の制御を行う。
【００４５】
上記光学系の後方には、撮像素子であるＣＣＤ（撮像手段）５８を有している。ＣＣＤ５８は、多数の受光素子がマトリクス状に配置されてなる光電面を有しており、光学系を通過した被写体像が光電面に結像され、光電変換される。光電面の前方には、各画素に光を集光させるためのマイクロレンズアレイ（不図示）と、ＲＧＢ各色のフィルタが規則的に配列されてなるカラーフィルタアレイ（不図示）とが配置されている。
【００４６】
ＣＣＤ５８は、ＣＣＤ制御部５９から供給される垂直転送クロック信号及び水平転送クロック信号に同期して、画素毎に蓄積された電荷を１ラインずつ読み出して画像信号として出力する。各画素における電荷の蓄積時間（即ち露出時間）は、ＣＣＤ制御部５９から与えられる電子シャッタ駆動信号によって決定される。
【００４７】
ＣＣＤ５８が出力する画像像信号は、アナログ信号処理部６０に入力される。このアナログ信号処理部６０は、画像信号のノイズ除去を行う相関２重サンプリング回路（ＣＤＳ）と、画像信号のゲイン調整を行うオートゲインコントローラ（ＡＧＣ）と、画像信号をデジタル画像データに変換するＡ／Ｄコンバータ（ＡＤＣ）とからなる。そしてデジタル画像データは、画素毎にＲＧＢの濃度値を持つＣＣＤ−ＲＡＷデータである。
【００４８】
タイミングジェネレータ７２は、タイミング信号を発生させるものであり、このタイミング信号がシャッタ駆動部５７、ＣＣＤ制御部５９、アナログ信号処理部６０に入力されて、レリーズボタン７の操作と、シャッタ５６の開閉、ＣＣＤ５８の電荷取り込み、アナログ信号処理６０の処理の同期が取られる。
【００４９】
フラッシュ制御部７３は、フラッシュ発光量制御部８１で算出した所定のフラッシュ発光量分のフラッシュを発光すべく、フラッシュライト１３の発光動作を制御する。
【００５０】
画像入力コントローラ６１は、上記アナログ信号処理部６０から入力されたＣＣＤ−ＲＡＷデータをフレームメモリ６８に書き込む。このフレームメモリ６８は、本撮像画像データまたはスルー画像データに対して後述の各種デジタル画像処理を行う際に使用する作業用メモリであり、例えば、一定周期のバスクロック信号に同期してデータ転送を行うＳＤＲＡＭ（Synchronous Dynamic Random Access Memory）から構成されている。
【００５１】
表示制御部７１は、フレームメモリ６８に格納された画像データをスルー画像データとしてモニタ１４に表示させるためのものであり、例えば、輝度（Ｙ）信号と色（Ｃ）信号を一緒にして１つの信号としたコンポジット信号に変換して、モニタ１４に出力する。スルー画像データは、撮像モードが選択されている間、所定時間間隔で取得されてモニタ１４に表示される。また、表示制御部７１は、外部記録メディアに記憶され、メディア制御部６９によって読み出された画像ファイルに含まれる画像データに基づいた画像をモニタ１４に表示させる。
【００５２】
シーン認識部（シーン認識手段）６６は、デジタルカメラ１により撮像されたスルー画像データまたは本撮像画像データに基づいて撮影するシーン（風景、夜景、海、雪、山、花、夕焼け、パーティーおよび人物、ベビー、スポーツ、ペット等）の種類を解析するものである。
【００５３】
シーン認識部６６におけるシーン解析手法の一例としては、例えば、特開２００５−３１０１２３号（以下、参考文献１という）の手法を本発明の撮像装置に用いることができる。参考文献１の手法は、所望の特定シーンに対応する特徴的部分の対象スルー画像データ内における配置の傾向を考慮し、かつ撮影枠の取り方の違い等によるそれらの位置や面積割合の変動をも考慮して、様々な特定シーンの画像を選別する、特定のシーン選別にあたり複数の識別器を用いており、特定の識別器の閾値または複数の閾値の総和により、特定のシーンの認識を示す。なお、特定の識別器の閾値または複数の閾値の総和から算出される特定のシーンであろうシーンの確信度を求めることができる。
【００５４】
また、特開２００５−１２２７２０号（以下、参考文献２という）の手法を本発明の撮像装置に用いることができる。参考文献２の手法は、特定シーンとして指定され得る複数のシーンごとに、そのシーンの識別に用いる特徴量の種類と識別条件とを規定した参照データが、メモリ内に格納されている。特定シーンとして指定され得る複数のシーンの識別に用いるすべての特徴量を、選別対象のスルー画像データから導出し、指定された特定シーンに応じて、参照データが規定する特徴量の種類を参照し、それらの特徴量を選別対象のスルー画像データから導出する。導出された特徴量に基づいて参照データ中の識別条件を参照し、所定の閾値であるか否か等により識別対象の画像データが特定シーンの画像のデータであるか否かを認識することを示す。なお、上記所定の閾値または上記識別条件から算出される特定のシーンであろうシーンの確信度を求めることができる。
【００５５】
更にシーン認識部６６は、スルー画像データまたは本撮像画像データから人物の顔を検出することも可能である。具体的には、顔に含まれる顔の特徴を有する領域（例えば肌色を有する、目を有する、顔の形状を有する等）を顔領域として検出することも可能とする。
【００５６】
例えば、特開２００６−２０２２７６号（以下、参考文献３という）の手法を本発明の撮像装置に用いることができる。参考文献３の手法は、顔の追跡は、動きベクトル、特徴点検出等の公知の手法や学習データに対してリサンプリングの際に重みを逐次的に更新していき，できた機械を最後に学習機械に対する重みをつけて足し合わせて統合学習機械をつくる手法であるＡｄａｂｏｏｓｔに基づいたマシンラーニング手法を利用するものであることが考えられる。例えば、平均フレームモデルを実際の顔画像に嵌め込み、平均フレームモデル上の各ランドマークの位置を、顔から検出された相対応するランドマークの位置に合致するように移動することによって平均フレームモデルを変形させて顔のフレームモデルを構築するのに際し、マシンラーニング手法により、所定のランドマークであることが分かっている複数のサンプル画像上の点における輝度プロファイルと、該ランドマークではないことが分かっている複数のサンプル画像上の点における輝度プロファイルとに対して学習を行って得た識別器および各識別器に対する識別条件を用いて、顔画像から当該ランドマークを示す点の位置を検出する手法である。
【００５７】
また、特開２００４−３３４８３６号（以下、参考文献４という）の手法を本発明の撮像装置に用いることも可能である。参考文献４の手法は、画像データから一定の大きさの画像データを切り出し、各切出画像データと特徴部分画像データの照合データとを比較して前記処理対象画像中に前記特徴部分画像が存在するか否かを検出する画像データの特徴部分抽出方法を使用する手法である。なお、特開２００７−１１９７０号（以下、参考文献５という）の手法を本発明の撮像装置に適用し、スルー画像データ中の人物の顔領域以外に、動物の顔等を特定被写体として検出してもよい。
【００５８】
上述した顔を検出する手法は、正面顔検出のみならず、上記手法により、横顔検出も可能である。
【００５９】
ＡＦ処理部６２は、シーン認識部６６により認識された顔を、枠表示部７８によって表示された追跡枠（図５のＦ１〜Ｆ４参照）内に対して焦点位置を検出し、フォーカスレンズ駆動量データを出力する。本実施の形態においては、焦点位置の検出方法としては、例えば、ピントが合った状態では画像の合焦評価値（コントラスト値）が高くなるという特徴を利用して、合焦位置を検出するパッシブ方式が適用される。なお図示しない測距センサによる測距結果を使用するアクティブ方式を適用してもよい。
【００６０】
ＡＥ処理部６３は、枠表示部７８によって表示された追跡枠（図５のＦ１〜Ｆ４参照）内に対して被写体輝度を測定し、測定した被写体輝度に基づいて絞り値やシャッタ速度等を決定し、絞り値データやシャッタ速度データを出力する。
【００６１】
画像処理部６７は、本撮像画像データデータに対してガンマ補正、シャープネス補正、コントラスト補正、色補正等の画質補正処理を施すと共に、ＣＣＤ−ＲＡＷデータを輝度信号であるＹデータと、青色色差信号であるＣｂデータ及び赤色色差信号であるＣｒデータとからなるＹＣデータに変換するＹＣ処理を行う。また、撮像モード選択部７９により選択された１つ以上の撮像モードに基づいて設定される画像処理条件により、本撮像画像データを画像処理する。また、撮像モード選択部７９により選択された１つ以上の撮像モードの構成比率を算出し、構成比率により画像処理条件を制御するものとする際、ユーザによりシーンまたは色味候補の構成比率を設定するための指示を受けつけることを可能とするものであってもよい。
【００６２】
この本撮像画像データとは、レリーズボタン７が全押しされることによってＣＣＤ５８から画像信号が出力され、アナログ信号処理部６０、画像入力コントローラ６１経由でフレームメモリ６８に格納された画像データに基づいた画像である。
【００６３】
本撮像画像データの画素数の上限はＣＣＤ５８の画素数によって決定されるが、例えば、ユーザが設定可能な画質設定（ファイン、ノーマル等の設定）により、記録画素数を変更することができる。一方、スルー画像データの画素数は本撮像画像データデータより少なくてもよく、例えば、本撮像画像データデータの１／１６程度の画素数で取り込まれてもよい。
【００６４】
圧縮／伸長処理部６５は、画像処理部６７によって画質補正等の処理が行われた画像データに対して、例えばＪＰＥＧ等の圧縮形式で圧縮処理を行って、画像ファイルを生成する。この画像ファイルには、各種データ形式に基づいて付帯情報が付加される。またこの圧縮／伸長処理部６５は、再生モードにおいては外部記録メディア７０から圧縮された画像ファイルを読み出し、伸長処理を行う。伸長後の画像データは表示制御部７１に出力され、表示制御部７１は画像データに基づいた画像をモニタ１４に表示する。
【００６５】
メディア制御部６９は、図２におけるメディアスロット２２に相当し、外部記録メディア７０に記憶された画像ファイル等の読み出し、又は画像ファイルの書き込みを行う。ＣＰＵ７５は、各種ボタン、レバー、スイッチの操作や各機能ブロックからの信号に応じて、デジタルカメラ１の本体各部を制御する。またＣＰＵ７５は図示しない内部メモリに画像ファイルを記録する記録手段としても機能する。
【００６６】
撮像モード選択部７９は、本撮像前に撮像手段の撮像条件を設定する１つ以上の撮像モードを自動的に設定するように選択を行い、またはユーザからの選択指示を受け付け、選択指示により選択を行う。詳細については、後述する。
【００６７】
撮像モード指定部８０は、記録された本撮像画像データを再生するための所定の撮像モードを指定するための入力手段である。詳細については、後述する。
【００６８】
またデータバス７６は、画像入力コントローラ６１、各種処理部６２〜６９、７８〜８０及びＣＰＵ７５に接続されており、このデータバス７６を介して各種信号、データの送受信が行われる。
【００６９】
次に、以上の構成のデジタルカメラ１において撮像時に行われる処理について説明する。図４はデジタルカメラ１の一連の処理フローチャートである。まず図４に示す如く、ＣＰＵ７５は、動作モードダイヤル１１の設定に従って、動作モードが自動シーン認識モードである際に、ユーザがレリーズボタン７を半押しした際、シーン認識部６６によってシーン認識させる。
【００７０】
そして、シーン認識部６６は、シーン認識できたか否か判断する（ステップＳＴ１）。シーン認識できない場合（ステップＳＴ１；ＮＯ）、通常の撮像が行われ、撮像された本撮像画像データが外部記録メディア７０に記録される（ステップＳＴ５）。
【００７１】
一方、ステップＳＴ１においてシーン認識されたものであると判別された場合（ステップＳＴ１；ＹＥＳ）、撮像モード選択部７９が、シーン認識部６６のシーン認識結果に対応する推奨すべき１つ以上の撮像モードを検出する。具体的には、シーン認識部６６は、上述した手法によりシーン認識により得られた結果を撮像モード選択部７９に送信する。撮像モード選択部７９は、１つ以上のシーン結果に対応する１つ以上の撮像モードとの対応関係を示すデータベースを有している。
【００７２】
表示制御部７１はスルー画像データ上に推奨すべき検出された撮像モードをユーザに視認できるように表示制御を行う（ステップＳＴ２）。撮像モード選択部７９は、上述のシーン認識結果から推奨すべき撮像モードを検出する。このような検出された撮像モードを表示することは、ユーザの選択負荷を軽減するアシスト機能となる。
【００７３】
撮像モード選択部７９は、推奨すべき撮像モードをスルー画像データ上に畳み重ねるように合成し、モニタ１４に表示する。例えば、図５のＩ１〜Ｉ３（Ｉ１は人物、Ｉ２はナチュラルフォト（後述）、Ｉ３はパーティである）のように撮像モードをアイコン表示してもよい。なお、Ｉ４は撮像時であることを示すアイコンである。
【００７４】
シーンに対応する推奨すべき撮像モードのアイコンは、図６に示すようなものがある。例えば、メニュー設定にある人物、美肌、風景、スポーツ、夜景、花火、夕焼け、スノー、ビーチ、水中、美術館、パーティ、花の接写、文字の撮影等に適した撮影モードを示すアイコンである。また、モードダイヤル設定はナチュラルフォト（フラッシュ無し撮影）、高感度２枚撮り（フラッシュ有りとフラッシュ無しの撮影を各１回行う撮影）等を示すアイコンである。このような推奨すべき撮像モードをアイコン表示することで、ユーザに視覚的にわかりやすくすることが可能となる。
【００７５】
なお、シーン認識部６６は、シーン認識の手法以外に、撮影日時や画像の明るさ、ホワイトバランスゲイン係数、ＧＰＳ情報を利用した位置情報等を利用して、シーン認識結果を得ても良い。
【００７６】
ユーザは、レリーズボタン７を半押ししながら、撮像モード選択部７９が作成するモニタ１４に表示される図７に示すようなグラフィックユーザインターフェース（以下、ＧＵＩという）上を確認し、メニュー／ＯＫボタン１７、十字ボタン１６を選択的に押して、撮像モードを選択する。
【００７７】
なお、動作モードダイヤル１１を切り替えることによりユーザが特定の撮像モードを選択してもよい。更には、デジタルカメラ１が自動的に撮像モードを選択してもよい。
【００７８】
なお、上述した撮像モード選択部７９により検出された撮像モードから上述のようなアイコンをモニタ１４に表示し、ユーザに選択（または抽出された撮像モードを削除し選択）させるようにしてもよい。
【００７９】
上記のように、撮像モード選択部７９により検出された撮像モードから、ユーザが希望する撮像モードを選択する（ステップＳＴ３）。
【００８０】
レリーズボタン７が全押しされることで、選択された撮像モードの撮像条件に基づき、撮像手段が、本撮像画像データを撮像する（ステップＳＴ４）。
【００８１】
撮像された本画像撮像データは、図８に示すようにサムネイル画像部Ｇ１と画像データ部Ｇ２の構成からなる。
【００８２】
選択された撮像モードの候補（例えば、図８Ｇ１における撮像モード候補１〜３）をサムネイル画像部Ｇ１に付加する。本画像撮像データは、付加された撮像モードとともに、外部記録メディア７０に記録される。
【００８３】
また、図９に示すようにシーン認識部６６と撮像モード選択部７９により処理された
結果から、Ｔ１というデータベースを作成し、サムネイル画像部Ｇ１に付加することも可能である。図９のようなモニタ１４に表示される所望の画像は、例えば、人物、空、海、岩等であると認識されたとする。
【００８４】
撮像モード選択部７９により選択された撮像モードは、シーン認識部６６により認識されたシーンである人物、空、海に対応する、人物、風景、ビーチの撮像モードとする。
【００８５】
そして、上述した手法によりシーン認識部６６により算出されたシーンの確信度を得点として記録する。例えば、シーンである人物は６０点、空は５０点、海は４０点とする。
【００８６】
このようにシーン認識部６６の解析されたシーン毎に算出されるシーンの確信度を得点として、サムネイル画像部Ｇ１に付加する。
【００８７】
撮像モード選択部７９は、撮像時の撮像モードの選択の際に、シーンの確信度の高い順に自動的に選択することができる。伴って、シーンの確信度の高い順に撮像モードがサムネイル画像部に記録される。
【００８８】
また、撮像モード選択部７９は、撮像時の撮像モードの選択できる数をユーザに指定させるか、予めデフォルトとして設定することにより制限することも可能とする。それにより上記確信度の高い順に、撮像モードが選択されるが、所定の数のみ選択されることになる。これにより、画像に含まれるシーンが多い場合、適度にシーンを限定し、撮像モードの選択を行う事が可能となる。また再生時に再生される本撮像画像データの被りを防止することが可能となる。
【００８９】
また、撮像モード選択部７９は、所定の得点以上のシーンの確信度に対応する撮像モードのみを選択または記録するようにしてもよい。これにより、ある程度実際のシーンに近い対応する撮像モードのみを限定することができ、撮像モード候補の失敗を軽減することが可能となる。
【００９０】
また、図１０に示すようにシーン認識部６６と撮像モード選択部７９により処理され
た結果から、Ｔ２というデータベースを作成し、サムネイル画像部Ｇ１に付加することも可能である。図１０のようなモニタ１４に表示される所望の画像は、例えば、人物、空、海、岩等であると認識されたとする。
【００９１】
撮像モード選択部７９により選択された撮像モードは、シーン認識部６６により認識されたシーンである人物、空、海に対応する、人物、風景、ビーチの撮像モードとする。
【００９２】
そして、シーン認識の確信度を得点として記録する。例えば、シーンである人物は４０％、空は３０％、海は２０％とする。                                                       
そして、シーン認識部６６により認識された各シーンの画像全体における構成比率を算出し、サムネイル画像部Ｇ１に付加する。                                                       
また、上記構成比率に応じて、画像処理部６７によって本撮像画像データ（若しくはスルー画像データ）に処理する画像処理のパラメータを変更することも可能とする。
【００９３】
図１０のような比率の場合、人物モードと風景モードを補間するような画像処理のパラメータを設定することで、人物も風景にも好ましい画像処理を提供することが可能となる。
【００９４】
なお、人物と風景等を領域分割し、各々の領域に撮像モードに対応する画像処理を施しても良い。
【００９５】
以下、図４のフローチャートの説明に戻る。
【００９６】
ユーザが、電源レバー８を本撮像画像データの再生モードに設定することで、本撮像画像データをモニタ１４に再生することができる（ステップＳＴ６）。
【００９７】
そして、ユーザが、撮像モード指定部８０により作成されるモニタ１４に表示されるＧＵＩ上によって、記録された所定の撮像モードを指定する。所定の撮像モードを指定することにより（ステップＳＴ７）、該所定の撮像モードにより撮像された全ての本撮像画像データを外部記録メディア７０またはフレームメモリ６８から検索するとともに、該所定の撮像モードにより撮像された本撮像画像データの全てをモニタ１４により再生できることを可能とする。
【００９８】
また、ユーザが、動作モードダイヤル１１を切り替えることで指定された撮像モードを、撮像モード指定部８０は、所定の撮像モードとして指定することも可能である。
【００９９】
また、再生時に撮像モードがオートモード（自動に撮像モードを選択するモード）に指定されている際、またノーマルモード（デフォルトに撮像モードを選択するモード）が指定されている場合は、外部記録メディア７０に記録されている全ての本撮像画像データを自動的に再生してもよい。
【０１００】
また、再生時に、再生される本撮像画像データの表示順は、サムネイル画像部により記録される撮影日時順とする。ユーザにより指定された順番によって、表示するようにすることも可能とする。上述した再生時に指定される撮像モードは、複数指定することも可能である。
【０１０１】
また、再生時に撮像モードを指定する際、シーンの確信度が所定の得点以上の本撮像画像データのみをモニタ１８に表示してもよい。なお、再生時における所定の得点は、ユーザが、撮像モード指定部８０を介し指定するか、予めデフォルトとして設定する。
【０１０２】
また、再生時に撮像モードを指定する際、シーンの確信度が所定の構成比率以上の本撮像画像データのみをモニタ１４に表示してもよい。なお、再生時における構成比率は、ユーザにシーン構成の占める割合（パーセンテージ）を指定させるか、予めデフォルトとして設定してもよい。
【０１０３】
また、動作ダイヤルモード１１は、自動シーン認識連写モードを選択することにより、選択された撮像モードの数に応じて、撮像モード毎に連写撮像を行い、外部記録メディア７０に複数枚記録してもよい。
【０１０４】
なお、連写撮像せずに信号処理を変更することで可能な場合は連写せず、本撮像画像データを信号処理し、選択された撮像モードの数に応じて、撮像モード毎に本撮像画像データを記録してもよい。
【０１０５】
これらの自動シーン認識連写モードを設定された際は、撮像モード選択部７９により候補に挙がった撮像モードを各々のサムネイル画像部に全て記録してもよい。候補に挙がった撮像モードを全て記録することで、ユーザが撮像モードに迷いが生じても、とりあえず全てを記録することが可能となる。
【０１０６】
続いて、本発明の撮像装置の第二の実施の形態について説明する。
【０１０７】
図１１は本発明の撮像装置を実施するための第二の実施形態である色味候補部１００を内包する撮像装置を示す概略ブロック図である。
【０１０８】
ここでは、上述した第一の実施形態に係る撮像装置と異なる構成についてのみ記載することとし、上述の実施形態と同様の構成要素には同符号を付して詳細な説明を省略する。
【０１０９】
色味候補選択部１００は、本撮像前に認識されたシーンに対応する１つ以上の色味候補（青、赤、黄、黒、白、紫、水、緑、橙色等）を選択する。シーン認識部６６により認識されたシーンから色成分を解析し、シーンに構成される色味を算出する。
【０１１０】
図１２は第二の実施形態におけるデジタルカメラ１の一連の処理フローチャートである。まず図１２に示す如く、ＣＰＵ７５は、動作モードダイヤル１１の設定に従って、動作モードが自動シーン認識モードである際に、ユーザがレリーズボタン７を半押しした際、シーン認識部６６によってシーン認識させる。
【０１１１】
そして、シーン認識部６６は、シーン認識できたか否か判断する（ステップＳＴ１１）。シーン認識できない場合（ステップＳＴ１１；ＮＯ）、通常の撮像が行われ（ステップＳＴ１３）、撮像された本撮像画像データが外部記録メディア７０に記録される（ステップＳＴ１４）。
【０１１２】
一方、ステップＳＴ１１においてシーン認識されたものであると判別された場合（ステップＳＴ１１；ＹＥＳ）、色味候補選択部１００が、シーン認識部６６のシーン認識結果に対応する推奨すべき１つ以上の色味候補を検出する。具体的には、シーン認識部６６は、上述したシーン認識により得られた結果を色味候補選択部１００に送信する。色味候補選択部１００は、１つ以上のシーン結果に対応する１つ以上の色味候補との対応関係を示すデータベースを有している。
【０１１３】
シーン認識により得られた結果から、色味候補選択部１００が、上記データベース等を利用し、解析することで、図１３に示すようにシーンに対応した推奨すべき色味候補を検出可能となる。
【０１１４】
色味候補選択部１００は、上述のシーン結果から推奨すべき色味候補を検出し、モニタ１４に表示する。このような表示機能は、ユーザの選択負荷を軽減するアシスト機能となる。
【０１１５】
表示制御部７１はスルー画像データ上に推奨すべき検出された色味候補をユーザに視認できるように表示制御を行う。その際に推奨すべき色味候補をスルー画像データ上に畳み重ねるように合成に表示する。例えば、色味候補をアイコン表示してもよい。
【０１１６】
シーンに対応する推奨すべき色味候補のアイコンは、例えば、図１４のカラーチャートＣ１に示すような青、赤、黄、黒、白、紫、水、緑、橙色等から構成される色を示すものである。
【０１１７】
このような推奨すべき色味候補をアイコン表示することで、ユーザに視覚的にわかりやすくすることが可能となる。
【０１１８】
ユーザは、レリーズボタン７を半押ししながら、色味候補選択部１００が作成するモニタ１４に表示されるＧＵＩ上で、メニュー／ＯＫボタン１７、十字ボタン１６を選択的に押して、色味候補を選択する（ステップＳＴ１２）。
【０１１９】
なお、上述した色味候補選択部１００により抽出された色味候補から上述のようなアイコンをモニタ１４に表示し、ユーザに選択（または抽出された色味候補を削除し選択）させるようにしてもよい。このように、アイコン等表示をすることにより、ユーザはスルー画像データを視認しながら、どの色味候補が抽出され、選択されたかを確認しながら、本撮像が可能となる。
【０１２０】
なお、動作モードダイヤル１１を切り替えることによりユーザが特定の色味候補を選択してもよい。更には、デジタルカメラ１が自動的に色味候補を選択してもよい。
【０１２１】
レリーズボタン７が全押しされることで、本撮像画像データが撮像される（ステップＳＴ１３）。
【０１２２】
撮像された本画像撮像データは、図１５に示すようにサムネイル画像部Ｇ３と画像データ部Ｇ４の構成からなる。
【０１２３】
選択された色味候補（例えば、図１５Ｇ３における色味候補１〜３）をサムネイル画像部Ｇ３に付加する。本画像撮像データは、付加された色味候補とともに、外部記録メディア７０に記録される。
【０１２４】
また、図１６に示すようにシーン認識部６６と色味候補選択部１００により処理され
た結果から、Ｔ３というデータベースを作成し、サムネイル画像部Ｇ３に付加することも可能である。図１６のようなモニタ１４に表示される所望の画像は、例えば、人物、空、海、岩等であると認識されたとする。
【０１２５】
色味候補選択部１００により選択された色味候補は、例えば、シーン認識部６６により認識されたシーンである人物、空、海に対応する、肌色、青色、黒色の色味候補とする。
【０１２６】
そして、色味であろう確信度（色味の確信度）を得点として記録する。例えば、シーンに対応する色味であろう確信度は、図１７に示すように、人物は６０点、空は５０点、海は４０点とする。                                                       
このように色味候補選択部部１００の解析された色味毎に算出される色味であろう確信度を得点として記録し、色味候補選択部１００は、撮像時の色味候補の選択の際に、色味であろう確信度の高い順に自動的に選択することができる。伴って、色味であろう確信度の高い順に色味候補がサムネイル画像部Ｇ３に記録される。
【０１２７】
このように、色味であろう確信度の信頼性の高いデータをサムネイル画像部Ｇ３に付加し、記録できる。
【０１２８】
また、撮像時の色味候補の選択できる数をユーザに指定させるか、予めデフォルトとして設定することにより制限することも可能とする。それにより上記色味であろう確信度の高い順に、色味候補が選択されるが、所定の数のみ選択されることになる。これにより、色味であろう確信度の信頼性の高いデータを記録できるとともに、余分なものを記録しなくてよくなる。
【０１２９】
また、色味候補選択部１００は、選択される色味候補の所定の数を設定し制限するのではなく、所定の得点以上の色味であろう確信度に対応する色味候補のみを選択または記録してもよい。
【０１３０】
また、図１７に示すようにシーン認識部６６と色味候補選択部１００により処理され
た結果から、Ｔ４というデータベースを作成し、サムネイル画像部Ｇ３に付加することも可能である。図１７のようなモニタ１４に表示される所望の画像は、例えば、人物、空、海、岩等であると認識されたとする。
【０１３１】
色味候補選択部１００により選択された色味候補は、シーン認識部６６により認識されたシーンである人物、空、海に対応する、肌色、青色、黒色の色味候補とする。
【０１３２】
そして、そして、色味候補選択部１００により解析された各色味の画像全体における構成比率を算出し、サムネイル画像部Ｇ３に付加する。例えば、シーンに対応する色味候補の構成比率は、図１７に示すように人物は４０％、空は３０％、海は２０％とする。  
以下、図１２のフローチャートの説明に戻る。
【０１３３】
ユーザが、電源レバー８を本撮像画像データの再生モードに設定することで、本撮像画像データを再生することができる（ステップＳＴ１５）。
【０１３４】
そして、ユーザが、色味候補指定部１０１により作成されるモニタ１４に表示されるＧＵＩ上によって、記録された所定の色味候補を指定する。所定の色味候補を指定することにより（ステップＳＴ１６）、該所定の色味候補により撮像された全ての本撮像画像データを外部記録メディア７０から検索するとともに、該所定の色味候補により撮像された本撮像画像データの全てをモニタ１８により再生できることを可能とする。
【０１３５】
また、ユーザが、動作モードダイヤル１１を切り替えることで、色味候補指定部１０１は、所定の色味候補を指定することも可能である。
【０１３６】
また、再生時に色味候補がオートモード（自動に色味候補を選択するモード）に指定されている際、またノーマルモード（デフォルトに色味候補を選択するモード）が指定されている場合は、外部記録メディア７０に記録されている全ての本撮像画像データを自動的に再生してもよい。これにより、外部記録メディア７０に記録された本撮像画像データを全て再生することが可能となる。
【０１３７】
また、再生時に、再生される本撮像画像データの表示順は、サムネイル画像部により記録される撮影日時順とする。また、ユーザにより指定された順番によって、表示するようにすることも可能とする。
【０１３８】
なお、上述した再生時に指定される色味候補は、複数指定されることも可能である。
【０１３９】
また、再生時に色味候補を指定する際、色味であろう確信度が所定の得点以上の本撮像画像データのみをモニタ１８に表示してもよい。なお、再生時における所定の得点は、ユーザが、色味候補指定部８０を介し指定するか、予めデフォルトとして設定する。
【０１４０】
所定の得点以上の本撮像画像データのみをモニタ１８に表示することで、信頼性の高いものを検索し、再生できる。
【０１４１】
また、再生時に色味候補を指定する際、色味候補が、所定の構成比率以上の本撮像画像データのみをモニタ１８に表示してもよい。なお、再生時における色味候補の構成比率は、ユーザに色味候補指定部１０１を介して色味構成の占める割合（パーセンテージ）を指定させるか、予めデフォルトとして設定してもよい。
【０１４２】
また、本発明における撮像装置における本撮像画像データまたはスルー画像データは静止画のみならず、動画であってもよい。
【０１４３】
スルー画像データが動画である場合、シーン認識部６６によるシーン認識結果は、スルー画像データを構成するフレーム毎のシーン認識結果の平均により算出される。また、フレーム毎にシーンの認識結果を算出してもよい。本撮像画像データが動画である場合、本撮像画像データを構成するフレーム毎に撮像モード選択部７９または色味候補選択部１００により選択された撮像モードまたは色味候補を付加してもよい。また、各フレームの合計により最も多い撮像モードまたは色味候補を代表として付加してもよい。
【０１４４】
また、本発明における撮像装置のモニタ１４により、本撮像画像データを再生するように説明したが、撮像装置とテレビ等の表示装置を有線または無線により接続することで、表示装置により本撮像画像データを再生してもよい。
【０１４５】
尚、上述の実施の形態では、本発明における撮像装置としてデジタルカメラを例に説明したが、本発明の適用範囲はこれに限定されず、例えば、カメラ付き携帯電話、電子撮像機能を備えた他の電子機器に対しても適用可能である。
【図面の簡単な説明】
【０１４６】
【図１】デジタルカメラの背面図
【図２】デジタルカメラの前面図
【図３】デジタルカメラの第一の実施形態における機能ブロック図
【図４】第一の実施形態における一連のフローチャート
【図５】第一の実施形態におけるデジタルカメラのモニタ表示例を示す図
【図６】第一の実施形態における撮像モード（シーンポジション）一覧を示す図
【図７】第一の実施形態におけるデジタルカメラの撮像モードを選択するモニタ表示例を示す図
【図８】第一の実施形態における本撮像画像データの構成を示す図
【図９】第一の実施形態におけるシーン確信度を示す図
【図１０】第一の実施形態におけるシーンの構成比率を示す図
【図１１】デジタルカメラの第ニの実施形態における機能ブロック図
【図１２】第二の実施形態における一連のフローチャート
【図１３】第二の実施形態におけるデジタルカメラのモニタ表示例を示す図
【図１４】第二の実施形態における色味候補を示す図
【図１５】第二の実施形態における本撮像画像データの構成を示す図
【図１６】第二の実施形態における色味であろう確信度を示す図
【図１７】第二の実施形態における色味の構成比率を示す図
【符号の説明】
【０１４７】
１    デジタルカメラ（撮像装置）
１４  モニタ
６６  シーン認識部（シーン認識手段）
６７  画像処理部（画像処理手段）
７０  外部記録メディア（記録手段）
７９  撮像モード選択部（撮像モード選択手段）
８０  撮像モード指定部（撮像モード指定手段）
１００  色味候補選択部（色味候補選択手段）
１０１  色味候補指定部（色味候補指定手段）
【図１】
0004799511.tif 000002
【図２】
0004799511.tif 000003
【図３】
0004799511.tif 000004
【図４】
0004799511.tif 000005
【図５】
0004799511.tif 000006
【図６】
0004799511.tif 000007
【図７】
0004799511.tif 000008
【図８】
0004799511.tif 000009
【図９】
0004799511.tif 000010
【図１０】
0004799511.tif 000011
【図１１】
0004799511.tif 000012
【図１２】
0004799511.tif 000013
【図１３】
0004799511.tif 000014
【図１５】
0004799511.tif 000015
【図１６】
0004799511.tif 000016
【図１７】
0004799511.tif 000017
【図１４】
0004799511.tif 000018